(57)【特許請求の範囲】
【請求項１】
遠隔操作によりサムターンが設けられた扉の施錠及び開錠を可能とする錠開閉装置であって、
筐体と、
前記サムターンを収容し、前記サムターンを回転させて前記扉を施錠及び開錠する回転部と、
前記回転部に係合され、遠隔操作により制御されることで、前記回転部に動力を与える駆動部と、
前記回転部に接続され、前記筐体に対して回転操作可能な略円筒形状の操作部であって、前記筐体に対して回転操作されることにより、前記回転部を前記サムターンの回転方向に回転動作させる操作部と、
を備え、
前記回転部は、前記筐体を前記扉に取り付けたときに前記サムターンを挟み込むための挟込体を有し、
前記挟込体には、前記サムターンが挟み込まれる幅がそれぞれ異なる複数の挟込溝が形成されている、
錠開閉装置。
【請求項２】
遠隔操作によりサムターンが設けられた扉の施錠及び開錠を可能とする錠開閉装置であって、
筐体と、
前記サムターンを収容し、前記サムターンを回転させて前記扉を施錠及び開錠する回転部と、
前記回転部に係合され、遠隔操作により制御されることで、前記回転部に動力を与える駆動部と、
前記回転部に接続され、前記筐体に対して回転操作可能な略円筒形状の操作部であって、前記筐体に対して回転操作されることにより、前記回転部を前記サムターンの回転方向に回転動作させる操作部と、
を備え、
前記回転部は、前記筐体を前記扉に取り付けたときに前記サムターンを挟み込むための挟込体と、前記操作部に接続され、前記回転部の回転の軸方向に前記挟込体をスライド自在に取り付けることのできる取付体と、を有する、
錠開閉装置。
【請求項３】
前記挟込体には、前記回転部の回転の軸方向において前記筐体に対して前記操作部とは逆側の方向に向かって延出する４本の挟込脚が設けられ、
前記４本の挟込脚の間に、前記複数の挟込溝として２つの挟込溝が十字状に形成される、
請求項１又は２に記載の錠開閉装置。
【請求項４】
前記４本の挟込脚のうち互いに隣り合う少なくとも２本の挟込脚の根本部分には、前記２本の挟込脚同士を繋ぐ壁体が設けられている、
請求項３に記載の錠開閉装置。
【発明の詳細な説明】
【技術分野】
【０００１】
本発明は、遠隔操作によりサムターンが設けられた扉の施錠及び開錠を可能とする錠開閉装置に関する。
【背景技術】
【０００２】
従来から、既存の錠前を残したまま、扉のサムターン部分に取り付けて、遠隔操作によりサムターンを操作して扉の施錠及び開錠を可能とする錠開閉装置が知られている。
【０００３】
この種の錠開閉装置として、サムターンをその場で手動で操作できないものも存在するが、操作性の点で利便性を欠く。これに対し、特許文献１には、遠隔操作可能な錠開閉装置において、サムターン状の摘み部を設け、この摘み部を手動で操作することにより、サムターンを直接操作できるように構成した錠開閉装置が開示されている。これにより、ユーザは、遠隔操作だけでなく、手動でも扉の施錠及び開錠をすることができる。
【先行技術文献】
【特許文献】
【０００４】
【特許文献１】特許第５６８６２６９号公報
【発明の概要】
【発明が解決しようとする課題】
【０００５】
しかしながら、特許文献１に記載の錠開閉装置の摘み部は、サムターンと同様の形状を有するため、扉とその枠との隙間や、扉にあけた穴に針金や工具等を挿入して不正解錠する所謂「サムターン回し」の被害にあう虞がある。
【０００６】
本発明は、かかる事情を鑑みてなされたものであり、遠隔操作だけでなく手動でも扉の施錠及び開錠を可能とすると共に、サムターン回しの防止を可能とする錠開閉装置を提供することを目的の一つとする。
【課題を解決するための手段】
【０００７】
本発明の一態様に係る錠開閉装置は、遠隔操作によりサムターンが設けられた扉の施錠及び開錠を可能とする錠開閉装置であって、筐体と、サムターンを収容し、サムターンを回転させて扉を施錠及び開錠する回転部と、回転部に係合され、遠隔操作により制御されることで回転部に動力を与える駆動部と、回転部に接続され、筐体に対して回転操作可能な略円筒形状の操作部であって、筐体に対して回転操作されることにより、回転部をサムターンの回転方向に回転動作させる操作部と、を備える。
【発明の効果】
【０００８】
上記構成によれば、遠隔操作だけでなく手動でも扉の施錠及び開錠が可能となると共に、サムターン回しの防止が可能となる。
【図面の簡単な説明】
【０００９】
【図１】図１は、本発明の一実施形態に係る錠開閉装置が適用される錠開閉システムの一例を示す概略図である。
【図２】図２は、本実施形態に係る錠開閉装置と、サムターンを有するドアの斜視図である。
【図３】図３は、本実施形態に係る錠開閉装置の側面断面図である。
【図４】図４は、図３に示される錠開閉装置の挟込体を取付体から分離したときの挟込体及び取付体の斜視図である。
【図５】図５は、図３に示される錠開閉装置の挟込体を取付体に取り付けたときの挟込体及び取付体の斜視図である。
【図６】図６は、図５に示される挟込体の裏面図である。
【発明を実施するための形態】
【００１０】
以下、添付図面を参照しながら本発明の実施形態について説明する。説明の理解を容易にするため、各図面において同一の構成要素に対しては可能な限り同一の符号を付して、重複する説明は省略する。
【００１１】
本発明の一実施形態に係る錠開閉装置は、例えば図１に示される錠開閉システム１に適用される。
【００１２】
＜錠開閉システムの概要＞
図１に示されるように、錠開閉システム１は、本実施形態に係る錠開閉装置１０の他、端末２０と、サーバ３０と、を備える。
【００１３】
錠開閉装置１０は、サムターン４００が設けられた扉４０に取り付けられる。この錠開閉装置１０は、例えばブルートゥース（登録商標）等の無線通信により、端末２０と双方向の通信が可能に構成されている。端末２０から錠開閉装置１０を遠隔操作することにより、サムターン４００の回転動作を制御して扉４０の施錠及び開錠を可能とする。なお、錠開閉装置１０は、インターネット等のネットワーク５０を介して、サーバ３０とも双方向の通信が可能とされてもよい。
【００１４】
端末２０は、扉４０の施錠及び開錠をするユーザが使用する装置である。端末２０としては、例えば、スマートフォン、携帯電話機、携帯情報端末（ＰＤＡ）、タブレット端末、パーソナルコンピュータ（ＰＣ）、ノートＰＣなど、無線通信により錠開閉装置１０とデータの授受が可能なあらゆる端末装置を利用することができる。
【００１５】
サーバ３０は、例えば、演算処理能力の高いコンピュータによって構成され、そのコンピュータにおいて所定のサーバ用プログラムが動作することにより、サーバ機能を実現するものである。このサーバ３０において、例えば端末２０による錠開閉装置１０の遠隔操作に対する権限認証等が行われる。
【００１６】
なお、錠開閉装置１０を遠隔操作により利用する際に、サーバ３０を用いることは必須ではない。錠開閉装置１０は、端末２０と通信することにより、扉４０の施錠及び開錠をすることができる。このとき、扉４０の施錠及び開錠は、例えば次のように行われる。
【００１７】
ユーザが端末２０を操作して、錠開閉装置１０の施錠ないし開錠を指示したことに応答して、端末２０は、無線通信により、施錠ないし開錠を指示する遠隔操作コマンドを錠開閉装置１０に送信する。錠開閉装置１０は、遠隔操作コマンドを受信すると、遠隔操作コマンドに基づいてサムターン４００を自動的に操作して、扉４０の施錠又は開錠を行う。
【００１８】
＜錠開閉装置１０の構成＞
次に、錠開閉装置１０の構成について説明する。
【００１９】
図２は、本実施形態に係る錠開閉装置１０と、サムターンを有するドアの斜視図である。同図に示されるように、錠開閉装置１０は、筐体１１を備えている。筐体１１は、例えば側面から見たときに、略逆Ｌ字状とされている。この筐体１１は、錠開閉装置１０を扉４０に取り付けたときに上部となる一方部１１０と、下部となる他方部１１１とを有する。なお、一方部１１０が下部となり、他方部１１１が上部となってもよい。本明細書では、筐体１１の操作部１２側を表面といい、回転部１９側を裏面という。
【００２０】
錠開閉装置１０を扉４０に取り付けたとき、筐体１１の一方部１１０の裏面が扉４０に固定される。例えば、一方部１１０の裏面に磁石を配置して、扉４０に対して取り外し自在に固定してもよいし、また、接着剤等で扉４０に固定してもよい。また、錠開閉装置１０は、他方部１１１と扉４０の間にサムターン４００が収容される位置に取り付けられる。このとき錠開閉装置１０の他方部１１１の裏面は、扉４０と離間対向し、回転部１９にサムターン４００の矩形状の摘み部４０１が挿入される。なお、図２においては、錠開閉装置１０とサムターン４００の大きさが異なる縮尺で図示されているが、実際には図１に示されるように、錠開閉装置１０はサムターン４００を収容可能な程度の大きさであればよい。また、以下では、適宜、摘み部４０１もまとめてサムターン４００と称されることがある。
【００２１】
図３は、本実施形態に係る錠開閉装置の側面断面図である。同図に示されるように、他方部１１１の表面には、有底の第１開口部１１２が設けられている。この第１開口部１１２の底部中央部には、筐体１１の内部と連通する第２開口部１１３が設けられている。また、第２開口部１１３と対向する他方部１１１の裏面には、筐体１１の内部と連通する第３開口部１１４が設けられている。
【００２２】
第１開口部１１２には、筐体１１に対して回転操作可能に操作部１２が嵌め込まれている。また、第３開口部１１４には、筐体１１に対して回転可能に回転部１９が配置されている。回転部１９は、第２開口部１１３を介して操作部１２と接続されている。また、回転部１９の一部は、筐体１１の外部に延出されている。
【００２３】
図２に戻って、操作部１２の形状は、筐体の表面から突出した略円筒形状とされている。操作部１２の直径は、例えばユーザが片手の指で操作部１２の周側面を摘めるようにサムターン４００と同程度の大きさに設計されている。また、操作部１２の周側面には、ユーザが掴み易いように、周方向に沿って複数の窪み部１２０が設けられている。
【００２４】
また、図３に示されるように、操作部１２の突出先の一端面１２１は閉じられて平らとされ、他端面１２２は開放されている。
【００２５】
操作部１２の内部には、第２開口部１１３から延出した回転部１９の一部（例えば後述する回転軸体１９０等）が他端面１２２から嵌合される。これにより、操作部１２と回転部１９が連結され、操作部１２の周側面が摘まれて回転操作されると、これと連動して、回転部１９も回転する。このとき、回転部１９の少なくとも一部がサムターン４００に当接され、回転部１９の回転がサムターン４００に伝達されることによって、サムターン４００が操作部１２の回転方向に回転動作される。すなわち、この操作部１２が設けられることにより、手動でサムターン４００を動かすことができるため、扉４０の施錠及び開錠が可能となる。
【００２６】
操作部１２と回転部１９の他にも、錠開閉装置１０の筐体１１は、電源部１３と、受信部１４と、送信部１５と、制御部１６と、基板１７と、駆動部１８とを備える。
【００２７】
電源部１３は、一又は複数の電池を含んで構成される。この電源部１３は、受信部１４と送信部１５と制御部１６と駆動部１８に電力を供給する。
【００２８】
受信部１４は、受信用アンテナを有している。この受信部１４は、例えば扉４０の施錠及び開錠を指示する遠隔操作コマンド等を端末２０から受信する機能を有する。
【００２９】
送信部１５は、送信用アンテナを有している。無論、送信用アンテナがなく、受信用アンテナが兼用されてもよい。この送信部１５は、制御部１６による遠隔操作コマンドの実行結果等を送信する機能を有する。
【００３０】
制御部１６は、プロセッサと、当該プロセッサにより実行されるプログラムが格納されたメモリと、を有する。この制御部１６は、受信部１４が遠隔操作コマンドを受信したとき、受信した遠隔操作コマンドに応じた所定の処理を実行する。すなわち、制御部１６は、遠隔操作コマンドに基づいて駆動部１８の動作や回転の向きを制御することにより、回転部１９をサムターン４００を施錠する方向ないし開錠する方向に回転動作させる。
【００３１】
基板１７は、例えば駆動部１８と回転部１９等を設けるためのものである。基板１７には、駆動部１８の一部を貫通させるための開口部１７０と、回転部１９の一部を貫通させるための開口部１７１とが設けられている。
【００３２】
駆動部１８は、回転部１９にギアやクラッチを介して係合され、回転部１９に動力を与える機能を有する。駆動部１８の動作は、制御部１６によって制御される。
【００３３】
駆動部１８は、駆動源１８０と、回転シャフト１８１と、を有する。
【００３４】
駆動源１８０は、例えば電源部１３及び制御部１６に接続され、回転シャフト１８１が取り付けられたモータである。また、駆動源１８０は、例えば基板１７の裏面に取り付けられている。この駆動源１８０は、遠隔操作により制御部１６に制御されて回転し、回転シャフト１８１を回転させる。
【００３５】
回転シャフト１８１は、開口部１７０を貫通して、基板１７の表面側に延出している。回転シャフト１８１にはギヤ１８２が取り付けられている。ギヤ１８２は、制御部１６の制御により駆動源１８０の回転と共に回転されるようになっている。
【００３６】
回転部１９は、筐体１１に対して中心軸Ｏ周りに回転可能に設けられている。また、錠開閉装置１０を扉４０に取り付けたとき、回転部１９は、サムターン４００を収容する。そして、回転部１９は、筐体１１に対して回転される際にサムターン４００を回転させて扉４０を施錠及び開錠する。
【００３７】
回転部１９は、回転軸体１９０と、中間部１９１と、取付体１９２と、挟込体１９３と、を有する。
【００３８】
回転軸体１９０は、中心軸Ｏの方向に沿って長い軸体である。以下、この「中心軸Ｏの方向」を、「軸Ｏ方向」と称す。回転軸体１９０の一端は、操作部１２の他端面１２２から当該操作部１２の内部に挿入されている。回転軸体１９０の他端は、開口部１７１及び第３開口部１１４を介して、筐体１１の外部に延出している。
【００３９】
中間部１９１は、操作部１２と取付体１９２との間に設けられている。中間部１９１は、一又は複数の円盤状の部材で構成されている。中間部１９１の構成の詳細については説明を省略する。
【００４０】
取付体１９２は、操作部１２に固定され、挟込体１９３が取り付けられるものである。この取付体１９２は、台座１９２Ａと、円筒部１９２Ｂと、取付脚１９２Ｃと、を有する。
【００４１】
台座１９２Ａは、筐体１１の内部に収容されている。この台座１９２Ａは、当該台座１９２Ａの中心部を基板１７の開口部１７１と対向させて基板１７に載置されている。
【００４２】
図４及び図５は、回転部１９を構成する取付体１９２及び挟込体１９３の斜視図である。図４は、錠開閉装置１０の挟込体１９３を取付体１９２から分離したときの斜視図であり、図５は、挟込体１９３を取付体１９２に取り付けたときの斜視図である。図４に示されるように、台座１９２Ａの形状は、ギヤ状とされている。台座１９２Ａの歯１９２Ｄには、駆動部のギヤ１８２の歯が直接的に又は間接的に噛み合わされており、駆動部１８の回転により取付体１９２を含む回転部１９が回転されるようになっている。
【００４３】
図３に戻って、円筒部１９２Ｂは、台座１９２Ａの中心部に設けられている。この円筒部１９２Ｂは、台座１９２Ａの表面から外側に向かって直線状に延出している。円筒部１９２Ｂの延出先は、内部に回転軸体１９０を挿入した状態で、操作部１２の内部に嵌合されている。これにより、取付体１９２が操作部１２に固定されている。
【００４４】
図４に示されるように、取付脚１９２Ｃは、台座１９２Ａの裏面に４本設けられている。各取付脚１９２Ｃの底面視の形状は、例えば扇状とされている。各取付脚１９２Ｃは、台座１９２Ａの裏面から外側に向かって直線状に延出している。すなわち、図３に示されるように、各取付脚１９２Ｃは、軸Ｏ方向において操作部１２とは逆側の方向に向かって延出している。
【００４５】
各取付脚１９２Ｃは、開口部１７１及び第３開口部１１４を介して、筐体１１の外部に延出している。
【００４６】
図４及び図５に示されるように、各取付脚１９２Ｃは、取付体１９２の外周を脚間に挟み込むことで、取付体１９２に対して挟込体１９３を軸Ｏ方向にスライド自在に取り付けている。
【００４７】
各取付脚１９２Ｃの内側には、軸Ｏ方向に沿って形成された案内溝１９２Ｅが設けられている。案内溝１９２Ｅには、挟込体１９３の外周一部（後述する線状突起１９３Ｄ）が挿入されて係合される。これにより、案内溝１９２Ｅは、挟込体１９３の軸Ｏ方向へのスライドを案内する。
【００４８】
図３に戻って、挟込体１９３は、筐体１１の裏側に設けられており、サムターン４００を挟み込むためのものである。この挟込体１９３は、台座１９３Ａと、挟込脚１９３Ｂと、壁体１９３Ｃと、を有している。
【００４９】
図４に示されるように、台座１９３Ａは、円盤状に形成されている。
【００５０】
挟込脚１９３Ｂは、台座１９３Ａの裏面の端部に４本設けられている。各挟込脚１９３Ｂは、台座１９３Ａの中心部を中心とした円を描いたときにその円周上に互いに間隔を空けながら配置されている。この際、例えば４本のうち隣り合う２本の挟込脚１９３Ｂ同士の間隔と、残り２本の挟込脚１９３Ｂ同士の間隔と、が略同一とされている。各挟込脚１９３Ｂは、台座１９３Ａの裏面から外側に向かって直線状に延出している。すなわち、図３に示されるように、各挟込脚１９３Ｂは、軸Ｏ方向において筐体１１の他方部１１１に対して操作部１２とは逆側の方向に向かって延出している。
【００５１】
図４に戻って、各挟込脚１９３Ｂの内側には、線状突起１９３Ｄと当該線状突起１９３Ｄを挟んだ溝部１９３Ｅとが形成されており、挟込脚１９３Ｂの底面視の形状が略Ｗ形状とされている。
【００５２】
線状突起１９３Ｄは、軸Ｏ方向に沿って挟込脚１９３Ｂの先端から台座１９３Ａの表面の外側まで延在している。これにより、図４の点線矢印のように、挟込体１９３が取付体１９２に取り付けられる際、まず線状突起１９３Ｄが取付体１９２の案内溝１９２Ｅに係合されて、挟込体１９３のスライドが案内可能とされる。
【００５３】
また、線状突起１９３Ｄの表面には、例えば線状突起１９３Ｄの内側に押し込み自在な係止片１９３Ｆが、軸Ｏ方向に沿って複数設けられている。なお、図４では、一例として、２つの係止片１９３Ｆを記載している。複数の係止片１９３Ｆのうち何れか１つは、案内溝１９２Ｅに形成された不図示の係止溝に係合される。これにより、取付体１９２に対して挟込体１９３が不用意にスライドされることが抑制される。
【００５４】
溝部１９３Ｅは、台座１９３Ａまで延在している。図５に示されるように、溝部１９３Ｅの底部には、挟込脚１９３Ｂの内面が嵌め合わせられる。
【００５５】
図６は、挟込体１９３の裏面図である。同図に示されるように、４本の挟込脚１９３Ｂの間には、２つの挟込溝２００，２０１が形成されている。
【００５６】
錠開閉装置１０を扉４０に取り付けたとき、２つの挟込溝２００，２０１の何れか一方には、サムターン４００が挿入されて挟み込まれる。２つの挟込溝２００，２０１は、サムターン４００が挟み込まれる幅がそれぞれ異なっている。具体的には、２つの挟込溝２００，２０１のうち一方の挟込溝２００の幅Ｗ１は、他方の挟込溝２０１の幅Ｗ２に比べて、大きくされている。
【００５７】
また、２つの挟込溝２００は、中心部において互いに交差しており、台座１９３Ａの裏面側（操作部１２とは逆側の方向）から見たときに十字状に形成されている。
【００５８】
壁体１９３Ｃは、４本の挟込脚１９３Ｂのうち互いに隣り合う少なくとも何れか２本の挟込脚１９３Ｂの根本部分を繋いでいる。本実施形態では、壁体１９３Ｃは、他方の挟込溝２０１を挟んで対向する挟込脚１９３Ｂの根本同士を繋いでおり、一方の挟込溝２００を挟んで対向するように対をなして形成されている。
【００５９】
以上説明したように、本実施形態によれば、錠開閉装置１０に受信部１４、制御部１６及び駆動部１８を設けることにより、遠隔操作が可能となっている。錠開閉装置１０は、筐体１１に対して回転操作可能な操作部１２を備える。例えば、操作部１２は、筐体１１の表面から突出し、回転操作されると回転部１９をサムターン４００の回転方向に回転動作させる。これにより、遠隔操作だけでなく手動でも扉４０の施錠及び開錠を可能となる。
【００６０】
また、操作部１２の形状は略円筒形状とされて、突出先の一端面１２１が閉じられて平らとされている。このため、例えば、第三者が扉４０の外側から、扉４０とその枠との隙間や、扉４０にあけた穴に針金や工具等を挿入しても、操作部１２にはサムターン４００の矩形状の摘み部４０１のような引っ掛ける部分がないので、当該第三者にとってサムターン４００を回すことが困難となる。したがって、本実施形態では、サムターン回しの防止が可能となる。
【００６１】
また、挟込体１９３は、サムターン４００が挟み込まれる幅がそれぞれ異なる複数の挟込溝２００，２０１を有するものとすることができる。このため、例えば、２つの挟込溝２００，２０１のうちサムターン４００の摘み部４０１の摘み幅とより適合する方を、サムターン４００が挟み込まれる溝として選択が可能となる。また、取付体１９２に対して挟込体１９３を軸Ｏ方向にスライドさせて、挟込体１９３を設置する高さを任意に調整可能としてもよい。これらにより、錠開閉装置１０とサムターン４００の間にアタッチメント等を介在させることなく、単一の装置で、様々な大きさ（摘みの幅及び高さ）のサムターン４００に対応できる。
【００６２】
また、２つの挟込溝２００，２０１を、４本の挟込脚１９３Ｂの間に設ける構成とすることができる。これにより、様々な大きさのサムターン４００に対応できる構成を、単純な構成で形成でき、製造コストを抑制等することができる。また、２つの挟込溝２００，２０１は十字状に形成されていてもよい。この十字状という形状は、例えば挟込溝２００，２０１を別々に形成する場合に比べて、挟込体１９３の大きさを小型化することができる。
【００６３】
また、４本の挟込脚１９３Ｂのうち互いに隣り合う何れか２本の挟込脚１９３Ｂの根本部分に、当該２本の挟込脚同士を繋ぐ壁体１９３Ｃを設けてもよい。壁体１９３Ｃは、２つの挟込溝２００，２０１のうち一方の溝の側壁の一部を構成する。なお、壁体１９３Ｃは、挟込脚１９３Ｂの根本部分に設けられるので、２つの挟込溝２００，２０１のうち他方の溝に依然としてサムターン４００を挟み込むことができる。
【００６４】
ここで、サムターン４００には、押し込まれることで摘み部４０１の回転を可能とする押しボタンが摘み部４０１の摘み面に設けられた防犯サムターンが存在している。このような防犯サムターンでも、上記構成により、錠開閉装置１０を適用可能としている。具体的には、錠開閉装置１０を防犯サムターンに取り付けるとき、壁体１９３Ｃを備える側の挟込溝に防犯サムターンを挿入し、壁体１９３Ｃにより押しボタンが押し込まれた状態で防犯サムターンを挟み込む。この結果、例えば遠隔操作で扉４０の施錠及び開錠を行う場合であっても、押しボタンは押し込まれた状態にあるので、防犯サムターンを確実に回転させることができる。
【００６５】
また、一方の挟込溝２００の幅Ｗ１は、他方の挟込溝２０１の幅Ｗ２に比べて大きく形成されることが好ましい。また、壁体１９３Ｃは、幅広の挟込溝２００の側壁の一部を構成するように対をなして形成されるものとすることができる。
【００６６】
ここで、上記防犯サムターンには、押しボタンが摘み部４０１の両側の摘み面にそれぞれ設けられたものもある。この場合、摘み部４０１の大きさが大きくなり得るが、このような場合にも、幅Ｗ１が大きい一方の挟込溝２００に防犯サムターンを挿入することができる。そして、一対の壁体１９３Ｃが一方の挟込溝２００を挟んで対向しているので、各押しボタンが確実に押し込まれる。
【００６７】
また、取付体１９２は、挟込体１９３を軸Ｏ方向にスライド自在に取り付けている。これにより、挟込体１９３をスライドさせることで、様々な高さのサムターン４００に対応できる。また、他方の挟込溝２０１にサムターン４００を挿入するとき、当該サムターン４００の高さによっては、壁体１９３Ｃが邪魔となる場合がある。このような場合であっても、挟込体１９３を奥側にスライドさせることで、他方の挟込溝２０１にサムターン４００を確実に挿入することができる。
【００６８】
＜変形例＞
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【００６９】
例えば、取付体１９２や中間部１９１は、省略することもできる。この場合、操作部１２に挟込体１９３が直接取り付けられる。
【００７０】
また、挟込体１９３には、２つの挟込溝２００，２０１が形成される場合を説明したが、３つ以上の挟込溝が形成されてもよい。この場合、挟込溝の数に対応する本数の挟込脚１９３Ｂが設けられる。
【００７１】
また、操作部１２と回転部１９は、操作部１２の内部に回転部１９の一部が他端面１２２から嵌合されて接続される場合を説明したが、操作部１２が回転部１９の少なくとも一部に接続されていれば、接続の位置や接続の手段は特に限定されない。例えば、操作部１２の周側面にギヤを設け、このギヤの歯に回転部１９の歯１９２Ｄを係合させることで操作部１２と回転部１９が接続されてもよい。
【符号の説明】
【００７２】
１０…錠開閉装置
１１…筐体
１２…操作部
１８…駆動部
１９…回転部
４０…扉
１９２…取付体
１９３…挟込体
１９３Ｂ…挟込脚
１９３Ｃ…壁体（第１壁体、第２壁体）
２００，２０１…挟込溝
４００…サムターン
【要約】
【課題】遠隔操作だけでなく手動でも扉の施錠及び開錠を可能とすると共に、サムターン回しの防止を可能とする。
【解決手段】錠開閉装置１０は、扉に取り付けられる筐体１１と、サムターンを収容し、サムターンを回転させて扉を施錠及び開錠する回転部１９と、遠隔操作により制御されることで、回転部１９に動力を与える駆動部１８と、回転部１９に接続され、筐体１１に対して回転操作可能な略円筒形状の操作部１２であって、筐体１１に対して回転操作されることにより、回転部１９をサムターンの回転方向に回転動作させる操作部１２と、を備える。
【選択図】図２【図１】
0005937742.tif 000002
【図２】
0005937742.tif 000003
【図３】
0005937742.tif 000004
【図４】
0005937742.tif 000005
【図５】
0005937742.tif 000006
【図６】
0005937742.tif 000007